(57)【要約】【課題】視聴していないうちにコンテンツが削除されることを抑止する。【解決手段】実施形態のコンテンツ処理装置は、録画手段と、設定手段と、表示手段と、を備える。録画手段は、放送された複数のチャンネルのコンテンツを、記憶手段に録画する。設定手段は、記憶手段に格納されたコンテンツが、録画手段により録画される他のコンテンツで上書されて削除されるまでの生存時間を、チャンネル毎に異ならせる。表示手段は、記憶手段に録画されたコンテンツについて、生存時間に基づいて算出される、現在から削除されるまでの、残り生存時間を表示する。【選択図】図２
2014030121.tif 000002
【特許請求の範囲】
【請求項１】
放送された複数のチャンネルのコンテンツを、記憶手段に録画する録画手段と、
前記記憶手段に格納された前記コンテンツが、前記録画手段により録画される他のコンテンツで上書されて削除されるまでの生存時間を、チャンネル毎に異ならせる設定手段と、
前記記憶手段に録画された前記コンテンツについて、前記生存時間に基づいて算出される、現在から削除されるまでの、残り生存時間を表示する表示手段と、
を備えるコンテンツ処理装置。
【請求項２】
キーワード、ジャンル、日付、曜日又はチャンネルの入力を受け付ける入力受付手段と、
前記キーワード、前記ジャンル、前記日付、前記曜日又は前記チャンネルに基づいて、前記記憶手段から前記コンテンツを抽出する抽出手段と、をさらに備え、
前記表示手段は、前記抽出手段により抽出された前記コンテンツを示す情報を、当該コンテンツの前記残り生存時間と共に表示する、
請求項１に記載のコンテンツ処理装置。
【請求項３】
前記表示手段は、前記残り生存時間に従って配置した前記コンテンツの一覧を表示する、
請求項１又は２に記載のコンテンツ処理装置。
【請求項４】
前記設定手段は、前記チャンネル毎に前記記憶手段の記憶領域を割り当てると共に、前記チャンネル毎に割り当てる前記記憶手段の記憶領域のサイズを異ならせる又は前記チャンネル毎に録画する時間帯を異ならせることで、前記コンテンツの生存時間をチャンネル毎に異ならせる、
請求項１乃至３のいずれか一つに記載のコンテンツ処理装置。
【請求項５】
複数の記憶手段をさらに備え、
前記設定手段は、前記複数の記憶手段のそれぞれをコンテンツの録画先として、異なるチャンネルを割り当てる、
請求項１乃至４のいずれか一つに記載のコンテンツ処理装置。
【請求項６】
放送された複数のチャンネルのコンテンツを、記憶手段に録画する録画ステップと、
前記記憶手段に格納された前記コンテンツが、前記録画ステップにより録画される他のコンテンツで上書されて削除されるまでの生存時間を、チャンネル毎に異ならせる設定ステップと、
前記記憶手段に録画された前記コンテンツについて、前記生存時間に基づいて算出される、現在から削除されるまでの、残り生存時間を表示する表示ステップと、
を含むコンテンツ処理方法。
【発明の詳細な説明】
【技術分野】
【０００１】
本発明の実施形態は、コンテンツ処理装置、及びコンテンツ処理方法に関する。
【背景技術】
【０００２】
従来から、複数のチャンネルの全時間帯または一部の時間帯を録画し続ける機能が搭載されたテレビジョン表示装置や、レコーダが提案されている。
【０００３】
この複数のチャンネルの全時間帯または一部の時間帯を録画し続ける機能では、各チャンネルについて、予め設定された時間帯をＨＤＤ等の記憶装置に録画し続けるが、記憶装置の容量には限界がある。このため、録画された番組は一定時間経過した後、記憶装置から削除されていた。
【０００４】
ところで、テレビジョン表示装置や、レコーダにおいては、録画された番組コンテンツについて、録画された日時を表示することで、録画された番組コンテンツの古い順番を認識することができる。
【先行技術文献】
【特許文献】
【０００５】
【特許文献１】特開２００８−１０９１８０号公報
【発明の概要】
【発明が解決しようとする課題】
【０００６】
しかしながら、複数のチャンネルの全時間帯または一部の時間帯を録画し続ける機能では、チャンネル毎に記憶領域が割り当てられているため、録画された番組コンテンツの古い順番と、削除される順番とが異なる場合がある。このような場合、古い番組コンテンツから確認していくと、視聴したかった番組コンテンツについて、ユーザが意図しないうちに削除される可能性がある。
【０００７】
本発明は、上記に鑑みてなされたものであって、録画された番組コンテンツが削除されることによる見逃しを抑止するコンテンツ処理装置、及びコンテンツ処理方法を提供する。
【課題を解決するための手段】
【０００８】
実施形態のコンテンツ処理装置は、録画手段と、設定手段と、表示手段と、を備える。録画手段は、放送された複数のチャンネルのコンテンツを、記憶手段に録画する。設定手段は、記憶手段に格納されたコンテンツが、録画手段により録画される他のコンテンツで上書されて削除されるまでの生存時間を、チャンネル毎に異ならせる。表示手段は、記憶手段に録画されたコンテンツについて、生存時間に基づいて算出される、現在から削除されるまでの、残り生存時間を表示する。
【図面の簡単な説明】
【０００９】
【図１】図１は、実施形態にかかるテレビジョン放送表示装置の主要な信号処理系を示すブロック図である。
【図２】図２は、実施形態にかかる、番組コンテンツ処理アプリケーションの構成と、外部記憶装置及び丸録り録画用記憶装置の各構成と、を示した図である。
【図３】図３は、実施形態にかかる、番組コンテンツの各種情報の一覧を示した図である。
【図４】図４は、実施形態にかかる丸録り設定情報記憶部のテーブル構造を示した図である。
【図５】図５は、実施形態にかかるテレビジョン放送表示装置に記録されている、所定の放送チャンネルの番組コンテンツの時間帯を示した図である。
【図６】図６は、表示制御部が表示する過去番組表の例を示した図である。
【図７】図７は、検索条件受付部が入力を受け付けた検索条件の例を示した図である。
【図８】図８は、表示制御部により表示された番組コンテンツの一覧を示した図である。
【図９】図９は、表示制御部により表示された番組コンテンツの一覧を示した図である。
【図１０】図１０は、残り生存時間をアイコンで表示する変形例を示した図である。
【図１１】図１１は、残り生存時間に応じて番組コンテンツの欄の背景色を変化させる変形例を示した図である。
【図１２】図１２は、番組コンテンツ毎に削除しない旨の操作を受け付け可能な変形例を示した図である。
【図１３】図１３は、実施の形態にかかるテレビジョン放送表示装置における、番組コンテンツの一覧を表示するまでの処理手順を示すフローチャートである。
【発明を実施するための形態】
【００１０】
複数のチャンネルの全時間帯または一部の時間帯を録画し続ける機能を有するコンテンツ処理装置を、テレビジョン放送表示装置に適用した例について説明する。なお、コンテンツ処理装置は、テレビジョン放送表示装置に制限するものではなく、例えばレコーダなど、番組コンテンツを録画可能な装置であれば適用できる。
【００１１】
テレビジョン放送表示装置１００のハードウェア構成について説明する。図１は、上記したテレビジョン放送表示装置１００の主要な信号処理系を示すブロック図である。
【００１２】
ＢＳ／ＣＳデジタル放送受信用のアンテナ１２１で受信した衛星デジタルテレビジョン放送信号は、入力端子２０１を介して衛星デジタル放送用のチューナ２０２ａに供給される。
【００１３】
チューナ２０２ａは、同時録画可能なチャンネルの数だけ備えられている。本実施形態では、全てのチャンネルについて同時録画可能なため、視聴可能なチャンネルの数だけ、チューナ２０２ａが設けられている。そして、各チューナ２０２ａは、制御部２０５からの制御信号により所望のチャンネルの放送信号を選局し、この選局された放送信号をＰＳＫ（Ｐｈａｓｅ  Ｓｈｉｆｔ  Ｋｅｙｉｎｇ）復調器２０２ｂに出力する。
【００１４】
ＰＳＫ復調器２０２ｂは、制御部２０５からの制御信号により、チューナ２０２ａで選局された放送信号を復調し、所望の番組を含んだトランスポートストリーム（ＴＳ）を得て、ＴＳ復号器２０２ｃに出力する。
【００１５】
ＴＳ復号器２０２ｃは、制御部２０５からの制御信号によりトランスポートストリーム（ＴＳ）多重化された信号のＴＳ復号処理を行い、所望の番組のデジタルの映像信号及び音声信号をデパケットすることにより得たＰＥＳ（Ｐａｃｋｅｔｉｚｅｄ  Ｅｌｅｍｅｎｔａｒｙ  Ｓｔｒｅａｍ）を信号処理部２０６内のＳＴＤバッファ（図示せず）へ出力する。また、ＴＳ復号器２０２ｃは、デジタル放送により送られているセクション情報を信号処理部２０６内のセクション処理部（図示せず）へ出力する。
【００１６】
地上波放送受信用のアンテナ１２２で受信した地上デジタルテレビジョン放送信号は、入力端子２０３を介して地上デジタル放送用のチューナ２０４ａに供給される。
【００１７】
チューナ２０４ａは、制御部２０５からの制御信号により所望のチャンネルの放送信号を選局可能とする。チューナ２０４ａは、放送信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器２０４ｂに出力する。
【００１８】
ＯＦＤＭ復調器２０４ｂは、制御部２０５からの制御信号により、チューナ２０４ａで選局された放送信号を復調し、所望の番組を含んだトランスポートストリームを得て、ＴＳ復号器２０４ｃに出力する。
【００１９】
ＴＳ復号器２０４ｃは、制御部２０５からの制御信号によりトランスポートストリーム（ＴＳ）多重化された信号のＴＳ復号処理を行い、所望の番組のデジタルの映像信号及び音声信号をデパケットすることにより得たＰＥＳ（Ｐａｃｋｅｔｉｚｅｄ  Ｅｌｅｍｅｎｔａｒｙ  Ｓｔｒｅａｍ）を信号処理部２０６内のＳＴＤバッファへ出力する。また、ＴＳ復号器２０４ｃは、デジタル放送により送られているセクション情報を信号処理部２０６内のセクション処理部へ出力する。
【００２０】
信号処理部２０６は、テレビ視聴時には、ＴＳ復号器２０２ｃおよびＴＳ復号器２０４ｃからそれぞれ供給されたデジタルの映像信号及び音声信号に対して、選択的に所定のデジタル信号処理を施し、グラフィック処理部２０７及び音声処理部２０８に出力している。一方、番組録画時には、ＴＳ復号器２０２ｃおよびＴＳ復号器２０４ｃからそれぞれ供給されたデジタルの映像信号及び音声信号に対して、選択的に所定のデジタル信号処理を施した信号を、制御部２０５を介して丸録り録画用記憶装置（例えば、ＨＤＤ）２７１及び外部記憶装置２２６に記録している。
【００２１】
なお、本実施形態にかかる丸録りとは、ユーザに選択された番組コンテンツ単位で録画する予約録画と異なり、ユーザの見逃しを防止するために、各放送チャンネルについて、所定時間帯（一日中を含む）に放送された番組コンテンツ全てを録画する手法とする。なお、録画する時間帯は、放送チャンネル毎に異ならせても良い。
【００２２】
また、信号処理部２０６は、録画番組再生時には、制御部２０５を介して丸録り録画用記憶装置２７１又は外部記憶装置２２６から読み出された録画番組のデータに、所定のデジタル信号処理を施し、グラフィック処理部２０７及び音声処理部２０８に出力している。
【００２３】
図１に示す、チューナ２０２ａ、ＰＳＫ復調器２０２ｂ、ＴＳ復号器２０２ｃ、チューナ２０４ａ、ＯＦＤＭ復調器２０４ｂ、ＴＳ復号器２０４ｃは、丸録り機能に必要な数以上の系統を備えている。例えば、テレビジョン放送表示装置１００が、在京地上波キー局を全て記録できる装置の場合、チューナ２０４ａ、ＯＦＤＭ復調器２０４ｂ、ＴＳ復号器２０４ｃを７系統以上備えている。
【００２４】
制御部２０５には、信号処理部２０６から、番組を取得するための各種データ（Ｂ−ＣＡＳデスクランブル用の鍵情報等）や電子番組ガイド（ＥＰＧ）情報、番組属性情報（番組ジャンル等）、字幕情報等（サービス情報、ＳＩやＰＳＩ）が入力されている。制御部２０５は、これら入力された情報からＥＰＧ，字幕を表示するため画像生成処理を行い、この生成した画像情報をグラフィック処理部２０７へ出力する。
【００２５】
また、この制御部２０５は、番組録画および番組予約録画を制御する機能を有し、番組予約受付時には、外部の表示装置（例えば、デジタルテレビジョン放送受像器）に電子番組ガイド（ＥＰＧ）情報を表示し、操作部２２０またはリモートコントローラ２２１を介したユーザ入力により予約内容を所定の記憶手段に設定する。そして、設定された時刻に予約番組を録画するようチューナ２０２ａ，２０４ａ、ＰＳＫ復調器２０２ｂ、ＯＦＤＭ復調器２０４ｂ、ＴＳ復号器２０２ｃ，２０４ｃおよび信号処理部２０６を制御する。
【００２６】
また、テレビジョン放送表示装置１００は、丸録り録画機能で録画可能な全チャンネルの番組を自動録画する場合、予約とは別に設定された時間帯に各デバイスを制御し録画を行う。
【００２７】
セクション処理部は、ＴＳ復号器２０２ｃ（２０４ｃ）から入力されたセクション情報の中から、番組を取得するための各種データや電子番組ガイド（ＥＰＧ）情報、番組属性情報（番組ジャンル等）、字幕情報等（サービス情報、ＳＩやＰＳＩ）を制御部２０５へ出力する。
【００２８】
グラフィック処理部２０７は、（１）信号処理部２０６内のＡＶデコーダ（図示せず）から供給されるデジタルの映像信号と、（２）ＯＳＤ（Ｏｎ  Ｓｃｒｅｅｎ  Ｄｉｓｐｌａｙ）信号生成部２０９で生成されるＯＳＤ信号と、（３）データ放送による画像データと、（４）制御部２０５により生成されたＥＰＧ，字幕信号とを合成して映像処理部２１０へ出力する機能を有する。
【００２９】
また、字幕放送による字幕を表示するとき、グラフィック処理部２０７は、制御部２０５からの制御による字幕情報に基づき、映像信号上に字幕情報を重畳する処理を行う。
【００３０】
グラフィック処理部２０７から出力されたデジタルの映像信号は、映像処理部２１０に供給される。この映像処理部２１０は、入力されたデジタルの映像信号を、表示部２１４又は出力端子２１１を介して接続された外部機器で表示可能なフォーマットのアナログ映像信号に変換した後、出力端子２１１又は表示部２１４に出力して映像表示させる。
【００３１】
また、上記音声処理部２０８は、入力されたデジタルの音声信号を、スピーカ２１３で再生可能なフォーマットのアナログ音声信号に変換した後、出力端子２１２を介して接続された外部機器又はスピーカ２１３に出力して音声再生させる。
【００３２】
ここで、このテレビジョン放送表示装置１００は、上記した各種の受信動作を含むその全ての動作を制御部２０５によって統括的に制御されている。この制御部２０５は、ＣＰＵ（Ｃｅｎｔｒａｌ  Ｐｒｏｃｅｓｓｉｎｇ  Ｕｎｉｔ）等を内蔵しており、操作部２２０からの操作情報を受け、または、リモートコントローラ２２１から送出された操作情報を、受光部２２２を介して受信し、その操作内容が反映されるように各部をそれぞれ制御している。
【００３３】
この場合、制御部２０５は、主として、そのＣＰＵが実行する制御プログラムを格納したＲＯＭ（Ｒｅａｄ  Ｏｎｌｙ  Ｍｅｍｏｒｙ）２０５ａと、当該ＣＰＵに作業エリアを提供するＲＡＭ（Ｒａｎｄｏｍ  Ａｃｃｅｓｓ  Ｍｅｍｏｒｙ）２０５ｂと、各種の設定情報及び制御情報等が格納される不揮発性メモリ２０５ｃとを利用している。
【００３４】
また、この制御部２０５は、カードＩ／Ｆ（Ｉｎｔｅｒｆａｃｅ）２２３を介して、メモリカード２２４が装着可能なカードホルダ２２５に接続されている。これによって、制御部２０５は、カードホルダ２２５に装着されたメモリカード２２４と、カードＩ／Ｆ２２３を介して情報伝送することができる。
【００３５】
また、制御部２０５は、通信Ｉ／Ｆ２２９を介して第１のＬＡＮ端子２３０に接続されている。これにより、制御部２０５は、第１のＬＡＮ端子２３０に接続されたＬＡＮ対応の機器と、通信Ｉ／Ｆ２２９を介して情報伝送することができる。この場合、制御部２０５は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能を有し、第１のＬＡＮ端子２３０に接続されたＬＡＮ対応の機器にＩＰ（Ｉｎｔｅｒｎｅｔ  Ｐｒｏｔｏｃｏｌ）アドレスを割り当てて制御している。
【００３６】
さらに、上記制御部２０５は、通信Ｉ／Ｆ２３１を介して第２のＬＡＮ端子２３２に接続されている。これにより、制御部２０５は、第２のＬＡＮ端子２３２に接続されたＬＡＮ対応の各種機器と、通信Ｉ／Ｆ２３１を介して情報伝送することができる。
【００３７】
また、上記制御部２０５は、ＵＳＢ  Ｉ／Ｆ２３３を介してＵＳＢ端子２３４に接続されている。これにより、制御部２０５は、ＵＳＢ端子２３４に接続された各種機器（例えば、外部記憶装置２２６）と、ＵＳＢ  Ｉ／Ｆ２３３を介して情報伝送することができる。
【００３８】
次に、制御部２０５が、制御プログラムに含まれている番組コンテンツ処理アプリケーション２５０を実行した場合にについて説明する。図２は、番組コンテンツ処理アプリケーション２５０を実行した場合に実現される構成と、外部記憶装置２２６及び丸録り録画用記憶装置２７１内の各構成と、を示した図である。
【００３９】
丸録り録画用記憶装置２７１は、丸録り番組第１記憶部３５１と、フィルタ条件記憶部３５２と、丸録り設定情報記憶部３５３と、を記憶する。
【００４０】
丸録り番組第１記憶部３５１は、丸録りされた番組コンテンツを、当該番組コンテンツの各種情報と共に記憶する。図３は、番組コンテンツの各種情報の一覧を示した図である。図３に示す様に、丸録り番組第１記憶部３５１は、番組コンテンツ毎に、番組ＩＤと、タイトルと、放送チャンネルと、放送開始時刻と、放送終了時刻と、ジャンルと、詳細情報とを対応付けて記憶する。
【００４１】
図２に戻り、フィルタ条件記憶部３５２は、番組コンテンツを検索するための検索条件に対応する、フィルタを予め記憶する。当該フィルタを、番組フィルタリング部３０４が用いることで、当該検索条件に合致した番組コンテンツを抽出できる。
【００４２】
丸録り設定情報記憶部３５３は、ユーザにより設定されたチャンネル毎の丸録り時間帯の設定情報を記憶する。図４は、丸録り設定情報記憶部３５３のテーブル構造を示した図である。図４に示す様に、丸録り設定情報記憶部３５３は、放送チャンネルと、丸録り開始時刻と、丸録り終了時刻と、丸録り可能時間と、を対応付けて記憶する。例えば、「テレビ○×」の場合、丸録りが毎日１２：００に開始され、２４：００に終了する。そして、丸録り可能時間は２４時間であるため、１２：００から２４：００の時間帯の２４時間分の番組が丸録り番組として記録されることになる。
【００４３】
つまり、丸録り設定情報記憶部３５３においては、放送チャンネル毎に、丸録り開始時刻と、丸録り終了時刻と、が対応付けられている。これにより、放送チャンネル毎に異なる時間帯の丸録りが可能となる。さらに、本実施形態においては、放送チャンネル毎に丸録り可能時間が設定されている。この丸録り可能時間は、放送チャンネル毎に録画可能な時間とする。当該丸録り可能時間は、丸録り番組第１記憶部３５１及び丸録り番組第２記憶部３６１で、放送チャンネル毎に割り当てられた記憶領域や、放送チャンネル毎に設定された録画される番組コンテンツのビットレート等に基づいて導き出すことができる。
【００４４】
なお、本実施形態においては、毎日同じ時間に丸録りの開始、終了が行われる例について説明するが、例えば曜日毎に丸録りの開始時刻、及び終了時刻を異ならせても良い。また、丸録りの開始、終了は１日の中で複数回あっても良い。
【００４５】
外部記憶装置２２６は、丸録り番組第２記憶部３６１を記憶する。丸録り番組第２記憶部３６１は、丸録りとして録画された番組コンテンツを格納する領域とする。なお、丸録り番組第２記憶部３６１の構成は、丸録り番組第１記憶部３５１と同様として、説明を省略する。
【００４６】
本実施形態においては、番組コンテンツの録画先として、丸録り録画用記憶装置２７１の丸録り番組第１記憶部３５１と、外部記憶装置２２６の丸録り番組第２記憶部３６１と、が設けられている。
【００４７】
そして、本実施形態においては、丸録り番組第１記憶部３５１、及び丸録り番組第２記憶部３６１のそれぞれについて、チャンネル毎に予め定められた記憶領域が、丸録りによる番組コンテンツの録画領域として確保されている。
【００４８】
これにより、各チャンネルについて丸録りによる番組コンテンツの録画を可能とすると共に、予め定められた記憶領域が番組コンテンツで録画された場合、古い番組コンテンツから順番に上書き録画をしていく。しかしながら、本実施形態にかかるテレビジョン放送表示装置１００では、チャンネル毎に記憶領域が設けられており、チャンネル毎に録画時間帯やビットレートを異ならせることが可能である。このため、チャンネル毎に、録画された番組コンテンツが生存している時間が異なることになる。
【００４９】
本実施形態のように、複数の記憶装置を用いても良いが、一つの記憶装置に全てのチャンネルの番組コンテンツを記録しても良い。また、複数の記憶装置を用いる場合に、それぞれ記憶容量が異なっていても良い。この際に、上述したように、チャンネル毎に利用する記憶領域のサイズを異ならせても良い。
【００５０】
図２に戻り、番組コンテンツ処理アプリケーション２５０は、設定部３０１と、検索条件受付部３０２と、丸録り番組取得部３０３と、番組フィルタリング部３０４と、算出部３０５と、表示制御部３０６と、録画部３０７と、を備える。
【００５１】
録画部３０７は、予め設定された時間帯に放送波から受信する複数の放送チャンネルの番組コンテンツを、丸録り番組第１記憶部３５１及び丸録り番組第２記憶部３６１のうちいずれか一つ以上に録画する。予め設定された時間帯は、テレビジョン放送表示装置１００に丸録りするために設定された時間帯とする。つまり、予め設定された時間帯には、ユーザの番組コンテンツの見逃し忘れ等を抑止するために、ユーザが視聴する可能性のある番組コンテンツが全て含まれているような時間帯であればよく、放送チャンネルが放送を行っている全時間帯でも良い。さらに、予め設定された時間帯として、例えば、ユーザにより設定された時間帯でも良いし、テレビジョン放送表示装置１００で初期設定されている時間帯でも良い。
【００５２】
設定部３０１は、番組コンテンツを録画するための設定を行う。設定部３０１による設定で、丸録り番組第１記憶部３５１及び丸録り番組第２記憶部３６１のうちいずれか一つ以上に格納される番組コンテンツの生存時間を、放送チャンネル毎に異ならせることが可能となる。なお、生存時間とは、番組コンテンツが、録画されてから削除されるまでの時間とする。
【００５３】
本実施形態では、設定部３０１は、放送チャンネル毎に、丸録りする時間帯、及び生存時間の設定を受け付ける。さらには、設定部３０１は、放送チャンネル毎に、録画する番組コンテンツのビットレート等の設定を受け付けてもよい。そして、設定部３０１は、受け付けた丸録りする時間帯、生存時間及びビットレート等の設定に基づいて、放送チャンネル毎に丸録り番組第１記憶部３５１及び丸録り番組第２記憶部３６１の記憶領域を割り当てる。当然ながら、設定部３０１は、丸録りする時間帯、生存時間及びビットレート等に応じて、放送チャンネル毎に割り当てられる記憶領域のサイズを異ならせる。
【００５４】
これにより、放送チャンネル毎に番組コンテンツの削除されるタイミングが異なるため、古い番組コンテンツから削除されるとは限られなくなる。そこで、本実施形態では、録画された番組コンテンツが、ユーザが意図しない間に削除されることを抑止するために、残り生存時間の表示を行うこととした。なお、残り生存時間とは、番組コンテンツが、現在時刻から削除されるまでの時間を示している。残り生存時間は、生存時間等に基づいて算出される。
【００５５】
丸録り番組取得部３０３は、丸録り番組第１記憶部３５１及び丸録り番組第２記憶部３６１に録画された番組コンテンツや、当該番組コンテンツに関する各種情報を読み出す。
【００５６】
算出部３０５は、丸録り番組第１記憶部３５１及び丸録り番組第２記憶部３６１に録画された番組コンテンツ毎に、残り生存時間を算出する。この残り生存時間を算出するためには、算出部３０５は、丸録り設定情報記憶部３５３から、丸録り開始時刻、丸録り終了時刻、及び丸録り可能時間を読み出す。
【００５７】
さらに、算出部３０５は、丸録り番組取得部３０３を介して、放送チャンネル毎に、現在、丸録り番組第１記憶部３５１及び丸録り番組第２記憶部３６１に録画されている番組コンテンツの時間帯を読み出す。そして、算出部３０５は、読み出した各情報に基づいて、丸録りされている各番組コンテンツが削除されるまでの残り生存時間を計算する。
【００５８】
図５は、テレビジョン放送表示装置１００（例えば、丸録り番組第１記憶部３５１又は丸録り番組第２記憶部３６１）に記録されている、所定の放送チャンネル（例えば、テレビ○×）の番組コンテンツの時間帯を示した図である。
【００５９】
図５に示す例では、現在の時刻が、５月４日の１９時とする。そして、５月２日の１９：００〜２４：００の５時間、５月３日の１２：００〜２４：００の１２時間、及び５月４日の１２：００〜１９：００の７時間と、合計２４時間分の番組コンテンツが、テレビジョン放送表示装置１００（例えば、丸録り番組第１記憶部３５１又は丸録り番組第２記憶部３６１）に記録されている。テレビ○×の丸録り可能時間は２４時間であるため、このまま丸録りが継続すると、すぐに５月２日の１９：００の番組コンテンツが上書きにより削除される。換言すると、５月２日の１９：００の番組コンテンツの残り生存時間が０時間となる。そして、算出部３０５は、５月２日の１９：００を基準に他の番組コンテンツの残り生存時間を算出する。例えば、算出部３０５は、５月２日の２０：００から開始される番組コンテンツ（例えば、「テレビ○×」チャンネルの番組ＩＤ  100201の「世界遺産の○○」）について、残り生存時間を１時間として算出する。他の番組コンテンツも同様の手順で残り生存時間が算出される。
【００６０】
表示制御部３０６は、表示部２１４に様々な情報を表示する制御を行う。例えば、表示制御部３０６は、丸録り番組第１記憶部３５１及び丸録り番組第２記憶部３６１のうちいずれか一つ以上に記録された番組コンテンツを含む、一覧や過去の番組表を表示する。その際に、表示制御部３０６は、番組コンテンツ毎の残り生存時間を表示する。
【００６１】
図６は、表示制御部３０６が表示する過去番組表の例を示した図である。図６に示す例では、ゴールデンタイムを含んだ所定時間帯のみ録画する放送チャンネルと、一日中録画する放送チャンネルと、が含まれている。
【００６２】
図６に示す様に、表示制御部３０６は、番組コンテンツ毎に、現在から削除されるまでの残り生存時間を表示する。図６に示す例では、番組コンテンツ６０１、６０２は、残り生存時間が１時間となる。そして番組コンテンツ６０３は、残り生存時間が１．５時間である。このように、番組コンテンツ６０１、６０３を比べた場合、番組コンテンツ６０１は番組コンテンツ６０３より新しいにも拘わらず、番組コンテンツ６０３より先に削除される。このように、古い番組コンテンツの方が先に削除されるとは限らない。
【００６３】
そこで、本実施形態にかかるテレビジョン放送表示装置１００では、番組コンテンツ毎に残り生存時間を表示することとした。これにより、ユーザが削除されないと思っていたタイミングで、番組コンテンツが削除される可能性を低減させることができる。
【００６４】
同様に、ユーザの要求に従って、表示した番組コンテンツの一覧においても、番組コンテンツ毎に残り生存時間を表示できる。
【００６５】
この番組コンテンツの一覧を表示する際、まず、検索条件受付部３０２が、（図示しない）リモートコントローラ２２１を介して、ユーザからの検索条件の入力を受け付ける。本実施形態では、ユーザから入力を受け付ける検索条件がキーワードや、ジャンル等の場合について説明するが、検索条件をキーワードや、ジャンルに制限するものではなく、日付、曜日、又はチャンネルを用いても良い。このように検索条件としては、キーワード、ジャンル、日付、曜日、及びチャンネルのうち、いずれか一つ又はこれらの組み合わせを用いて良い。
【００６６】
図７は、検索条件受付部３０２が入力を受け付けた検索条件の例を示した図である。図７に示す様に、検索条件受付部３０２は、検索キーワード“世界遺産”、検索ジャンル“教養”の入力を受け付ける。
【００６７】
そして、丸録り番組取得部３０３は、丸録り番組第１記憶部３５１及び丸録り番組第２記憶部３６１に録画された番組コンテンツに関する情報を取得する。
【００６８】
番組フィルタリング部３０４は、丸録り番組取得部３０３が取得した番組コンテンツに関する情報に対して、検索条件受付部３０２が入力を受け付けた検索条件でフィルタリングを行う。これにより、検索キーワード“世界遺産”、検索ジャンル“教養”に該当する番組コンテンツのみ抽出される。本実施形態では、フィルタリングすることで、検索条件に一致した番組コンテンツを検索する例について説明するが、他の手法で番組コンテンツを検索しても良い。予め設定されているフィルタリングの条件は、フィルタ条件記憶部３５２に格納されている。なお、フィルタリングは、ユーザに入力された検索条件を用いても良い。
【００６９】
そして、表示制御部３０６が、番組フィルタリング部３０４で抽出された番組コンテンツの一覧を表示する。図８は、表示制御部３０６により表示された番組コンテンツの一覧を示した図である。図８に示す様に、検索キーワード“世界遺産”、検索ジャンル“教養”に該当する番組コンテンツの一覧が表示される。当該一覧では、各番組の情報として、番組のタイトル、放送チャンネル名、放送時刻、ジャンル等を表示する。
【００７０】
図８に示す一覧では、番組コンテンツ毎に、削除されるまでの残り生存時間８０１〜８０４が表示される。残り生存時間８０１〜８０４は、算出部３０５により算出された残り生存時間とする。
【００７１】
また、図８に示す例では、時間順ソート８０５は、残り生存時間で番組コンテンツをソートするか否かを選択するための項目とする。図８は、残り生存時間で番組コンテンツをソートしていない例であるが、時間順ソート８０５を“ＯＮ”にすることで番組コンテンツをソートできる。なお、ソート手法は、従来から用いられている手法を用いてもよく、説明を省略する。
【００７２】
図９は、表示制御部３０６により表示された番組コンテンツの一覧を示した図である。図９に示す例も、図８と同様に、検索キーワード“世界遺産”、検索ジャンル“教養”に該当する番組コンテンツの一覧が表示されている。さらに、図９に示す例では、時間順ソート９０１が“ＯＮ”であり、番組コンテンツの一覧９０２が、残り生存時間が短い順から、リストの上位になるように配置（ソート）されている。これにより、ユーザは、残り生存時間を確認した上で、削除される番組コンテンツを優先して視聴することが可能となる。
【００７３】
本実施形態は、残り生存時間を、数字を含んだ文字列で表示する例について説明したが、表示形態を制限するものではない。
【００７４】
図１０は、残り生存時間をアイコンで表示する変形例を示した図である。図１０に示す例では、番組コンテンツ毎に、残り生存時間が示された時計状アイコン１００１を表示することで、ユーザに対して残り生存時間を認識させることができる。
【００７５】
図１１は、残り生存時間に応じて番組コンテンツの欄の背景色を変化させる変形例を示した図である。図１１に示す例では、番組コンテンツの残り生存時間が少なくなるにつれて、背景色１１０１が濃くなる例とする。ユーザは、番組コンテンツの背景色１１０１を視認することで、番組コンテンツのおおよその残り生存時間を認識できる。
【００７６】
このように、表示制御部３０６は、番組コンテンツを一覧（リスト）表示する際に、番組コンテンツについて、削除されるまでの残り生存時間の表示の他に、残り生存時間の長さに応じた表示色やアイコンを表示してもよい。
【００７７】
さらに、ユーザから、番組コンテンツが削除されないようにする操作を受け付けてもよい。図１２は、番組コンテンツ毎に削除しない旨の操作を受け付け可能な変形例を示した図である。図１２に示す例では、表示制御部３０６が番組コンテンツ毎に、“削除しない”ボタン１２０１を表示する。そして、当該“削除しない”ボタン１２０１が押下された番組コンテンツは、丸録りされた番組コンテンツではなく、通常の予約録画された番組コンテンツと同様として扱われる。これにより、“削除しない”ボタン１２０１が押下された番組コンテンツは、残り生存時間による削除の対象外となり、ユーザが所望する時間に視聴することが可能となる。
【００７８】
番組コンテンツの表示態様は、上述した表示態様に制限するものではなく、他の表示態様を用いても良い。次にテレビジョン放送表示装置１００における、番組コンテンツの一覧を表示するまでの処理手順について説明する。図１３は、本実施の形態にかかるテレビジョン放送表示装置１００における上述した処理の手順を示すフローチャートである。
【００７９】
まず、検索条件受付部３０２が、検索に用いるキーワードとジャンルの入力を受け付ける（ステップＳ１３０１）。なお、入力を受け付ける検索条件は、キーワードとジャンルに制限するものではなく、他の条件等が含まれていても良い。
【００８０】
次に、丸録り番組取得部３０３が、丸録り番組第１記憶部３５１及び丸録り番組第２記憶部３６１に丸録りされている、全ての番組コンテンツに関する情報を取得する（ステップＳ１３０２）。
【００８１】
そして、番組フィルタリング部３０４が、取得した番組コンテンツについて、入力されたキーワード及びジャンルを用いてフィルタリングする（ステップＳ１３０３）。これにより、ユーザが入力した検索条件と一致した番組コンテンツが抽出される。
【００８２】
その後、算出部３０５が、放送チャンネル毎に、丸録り番組第１記憶部３５１及び丸録り番組第２記憶部３６１に丸録りされている番組コンテンツの時間帯を算出する（ステップＳ１３０４）。これにより、放送チャンネル毎に、次に削除される番組コンテンツの時間帯を認識できる。
【００８３】
次に、算出部３０５が、ステップＳ１３０３にフィルタリングで抽出された番組コンテンツ毎に、当該番組コンテンツの放送開始時刻と、ステップＳ１３０４で算出された、丸録りされている時間帯の開始時刻と、の差分を、当該番組コンテンツの残り生存時間として算出する（ステップＳ１３０５）。なお、ステップ１３０５の算出は、残り生存時間を求める番組コンテンツと、丸録りされている時間帯と、が同一の放送チャンネルであることを前提とする。
【００８４】
そして、表示制御部３０６が、フィルタリングで抽出された番組コンテンツの一覧を、番組コンテンツ毎に残り生存時間と共に表示する（ステップＳ１３０６）。表示される番組コンテンツとしては、例えば、図８に示す例が考えられる。
【００８５】
その後、検索条件受付部３０２が、リモートコントローラ２２１を介して、残り生存時間による時間順ソートを“ＯＮ”にする選択を受け付ける（ステップＳ１３０７）。
【００８６】
次に、表示制御部３０６が、フィルタリングで抽出された番組コンテンツの一覧を、残り生存時間でソートして表示する（ステップＳ１３０８）。
【００８７】
上述した処理手順により、番組コンテンツの一覧が、残り生存時間と共に表示されるため、ユーザはどの程度時間が経過したら番組コンテンツが削除されるのか、認識できるため、番組コンテンツの削除による見逃しを抑止することが可能となる。
【００８８】
従来から、丸録りでは、放送チャンネル毎に、放送された番組コンテンツは一定期間保存されていた。しかしながら、新しい番組コンテンツを録画するために、一定期間を経過した番組コンテンツは削除される。そのため、録画された番組コンテンツのうち、削除されるのが早い番組コンテンツから視聴したいというニーズがあった。各放送チャンネルの録画可能時間が一定の場合、単純に古い番組順に並び替えて表示すれば削除が早い順に視聴することができるが、ユーザのニーズに合わせて放送チャンネル毎に録画可能時間等が異なっているため、放送日時や放送時間だけでは、どの番組コンテンツが削除されるのか判断するのが難しいという問題が生じていた。
【００８９】
そこで、本実施形態にかかるテレビジョン放送表示装置１００では、削除されるまでの残り生存時間を番組コンテンツごとに表示することとした。これにより、ユーザが残り生存時間を参照し、視聴すべき番組コンテンツを容易に特定できるようになった。
【００９０】
さらに、放送チャンネル毎の録画可能時間が異なる場合でも、残り生存時間に従って、番組コンテンツの一覧を表示することとした。当該表示では、すぐに削除される番組コンテンツをリストの上位に配置できる。これにより、削除が近い番組コンテンツをユーザが容易に選択できる。これにより、ユーザが視聴したかった番組コンテンツが視聴しないうちに削除されることを抑止できる。
【００９１】
上述した実施形態では、削除されるまでの時間が短い番組コンテンツを優先的に視聴するという判断を容易にした。これにより、丸録りされた番組コンテンツのうち、視聴したい番組コンテンツが視聴しないうちに削除されることを防ぐことが可能になる。
【００９２】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００９３】
１００…テレビジョン放送表示装置、３０１…設定部、３０２…検索条件受付部、３０３…丸録り番組取得部、３０４…番組フィルタリング部、３０５…算出部、３０６…表示制御部、３０７…録画部、３５１…丸録り番組第１記憶部、３５２…フィルタ条件記憶部、３５３…丸録り設定情報記憶部、３６１…丸録り番組第２記憶部
【図１】
2014030121.tif 000003
【図２】
2014030121.tif 000004
【図３】
2014030121.tif 000005
【図４】
2014030121.tif 000006
【図５】
2014030121.tif 000007
【図６】
2014030121.tif 000008
【図７】
2014030121.tif 000009
【図８】
2014030121.tif 000010
【図９】
2014030121.tif 000011
【図１０】
2014030121.tif 000012
【図１１】
2014030121.tif 000013
【図１２】
2014030121.tif 000014
【図１３】
2014030121.tif 000015